(57)【要約】  本発明は、特に食器洗浄機に用いられる切換制御装置であって、食器洗浄機が、洗浄庫を備えており、該洗浄庫が、少なくとも２つのスプレー装置を備えており、該スプレー装置が、洗浄庫内に配置された洗浄したい物品を、循環ポンプによって圧送される液体で負荷するようになっており、圧送される液体が、当該切換制御装置を通流するようになっており、当該切換制御装置が、液体をそれぞれ異なるスプレー装置に供給するための少なくとも２つの出口を有しており、該出口が、作動エレメントによって開放されるかもしくは閉鎖されるようになっており、これによって、出口のそれぞれ１つまたは幾つかの出口または全ての出口が、交互に連続的にかつ／または常に開放されているかもしくは閉鎖されている形式のものに関する。循環ポンプの回転数の電子的な調整の作用を簡単に取り換えることができ、これによって、公知先行技術による欠点が回避されるようにするために、本発明によれば、作動エレメント（２１，２１′）が、少なくとも１つの開口（２２）を有しており、該開口（２２）が、少なくとも１つの別の開口（２３，２４）の横断面に対して異なる横断面を備えている。
2005512659.tif 000002
【特許請求の範囲】
【請求項１】
特に食器洗浄機に用いられる切換制御装置であって、食器洗浄機が、洗浄庫を備えており、該洗浄庫が、少なくとも２つのスプレー装置を備えており、該スプレー装置が、洗浄庫内に配置された洗浄したい物品を、循環ポンプによって圧送される液体で負荷するようになっており、圧送される液体が、当該切換制御装置を通流するようになっており、当該切換制御装置が、液体をそれぞれ異なるスプレー装置に供給するための少なくとも２つの出口を有しており、該出口が、作動エレメントによって開放されるかもしくは閉鎖されるようになっており、これによって、出口のそれぞれ１つまたは幾つかの出口または全ての出口が、交互に連続的にかつ／または常に開放されているかもしくは閉鎖されている形式のものにおいて、
作動エレメント（２１，２１′）が、少なくとも１つの開口（２２）を有しており、該開口（２２）が、少なくとも１つの別の開口（２３，２４）の横断面に対して異なる横断面を備えていることを特徴とする、切換制御装置。
【請求項２】
異なる横断面を備えた少なくとも１つの開口（２２）が、少なくとも１つの別の開口（２３，２４）の横断面に比べて著しく小さな横断面を有している、請求項１記載の切換制御装置。
【請求項３】
少なくとも１つの別の開口（２３，２４）に比べて著しく小さな横断面を備えた開口（２２）が、液体を上側のスプレー装置（５）に供給するために働くようになっている、請求項１または２記載の切換制御装置。
【請求項４】
作動エレメント（２１，２１′）が、ディスクであり、該ディスクが、少なくとも１つの開口（２２）を有しており、該開口（２２）が、少なくとも１つの別の開口（２３，２４）に比べて著しく小さな横断面を備えている、請求項１から３までのいずれか１項記載の切換制御装置。
【請求項５】
少なくとも１つの大きい方の開口（２３）が、主として、液体を下側のスプレー装置（６）に供給するために働くようになっているものの、択一的には、液体を上側のスプレー装置（５）に供給するためにも働くようになっている、請求項１から４までのいずれか１項記載の切換制御装置。
【請求項６】
ディスクにおいて反対の側に位置する２つの大きい方の開口（２３，２４）が、液体を上側のスプレー装置（５）と下側のスプレー装置（６）とに同時に供給するために働くようになっている、請求項１から５までのいずれか１項記載の切換制御装置。
【請求項７】
作動エレメント（２１，２１′）の、閉鎖位置で相応の出口（１４，１５）に密に接触する閉鎖された領域（２５）が、全周にわたって延びる、出口（１４，１５）に向かって上方に張り出したそれぞれ１つのシール縁部（２６）を有している、請求項１から６までのいずれか１項記載の切換制御装置。
【請求項８】
小さい方の開口（２２）が、出口（１４，１５）に向かって上方に張り出したシール縁部（２６）によって取り囲まれている、請求項１から７までのいずれか１項記載の切換制御装置。
【発明の詳細な説明】
【技術分野】
【０００１】
本発明は、特に食器洗浄機に用いられる切換制御装置であって、食器洗浄機が、洗浄庫を備えており、該洗浄庫が、少なくとも２つのスプレー装置を備えており、該スプレー装置が、洗浄庫内に配置された洗浄したい物品を、循環ポンプによって圧送される液体で負荷するようになっており、圧送される液体が、当該切換制御装置を通流するようになっており、当該切換制御装置が、液体をそれぞれ異なるスプレー装置に供給するための少なくとも２つの出口を有しており、該出口が、作動エレメントによって開放されるかもしくは閉鎖されるようになっており、これによって、出口のそれぞれ１つまたは幾つかの出口または全ての出口が、交互に連続的にかつ／または常に開放されているかもしくは閉鎖されている形式のものに関する。
【０００２】
ドイツ連邦共和国特許出願公開第１９８５７１０３号明細書に基づき、冒頭で述べた形式の切換制御装置が公知である。この公知の切換制御装置では、作動エレメントが、フロースルーヒータ内に配置されたターンディスクである。このターンディスクは、周方向でそれぞれ交互に、開放した領域の後、閉鎖された領域を有している。両領域の間には、満たされていない間隔が存在している。前述した開放した領域は円形の開口である。
【０００３】
ドイツ連邦共和国特許出願公開第１９８５７１０３号明細書に基づくターンディスクの制御は、たとえばドイツ連邦共和国特許出願第１００６５５７１．８号明細書（ドイツ連邦共和国特許出願公開第１００６５５７１号明細書）に基づき公知の作動駆動装置によって行うことができる。この公知の作動駆動装置は、モータで運動させられる、ターンディスクに固く結合されたカムディスクを有している。
【０００４】
ドイツ連邦共和国特許出願公開第１１９０７１５８号明細書に基づき、循環ポンプの回転数が調整可能であることが公知である。この場合、ドイツ連邦共和国特許出願公開第１９９０７１８８号明細書では、スプレー装置の交番時の増加させられた騒音発生を回避するために、循環ポンプの回転数をスプレー装置の交番時に低減することが提案される。この場合、すでに上述したドイツ連邦共和国特許出願公開第１９８５７１０３号明細書およびドイツ連邦共和国特許出願公開第１９９０７１５７号明細書にも、注入された液体量の完全な使用を保証するために、循環ポンプの回転数を下側のスプレー装置の運転時に上側のスプレー装置の運転時よりも高く導出することが記載される。
【０００５】
循環ポンプの回転数の電子的な調整は手間のかかるものであり、高価である。絞られた回転数の場合には、通常の回転数の場合よりも高い騒音が発生させられる。
【０００６】
したがって、本発明の課題は、循環ポンプの回転数の電子的な調整の作用を簡単に取り換えることができ、これによって、上述した公知先行技術の欠点が回避される切換制御装置を提供することである。
【０００７】
この課題は、本発明によれば、作動エレメントが、少なくとも１つの開口を有しており、該開口が、少なくとも１つの別の開口の横断面に対して異なる横断面を備えていることによって解決される。
【０００８】
少なくとも１つの小さい方の開口によって、より僅かな量の液体を所望のスプレー装置に圧送する可能性が簡単に提供される。このことは、前述した公知先行技術による循環ポンプの回転数の低減の作用に相当している。少なくとも大きい方の開口によって、より大きな量の液体を所望のスプレー装置に圧送する可能性が簡単に提供される。このことは、前述した公知先行技術による循環ポンプの、前述した低減された回転数に対する循環ポンプの回転数の上昇の作用に相当している。これによって、循環ポンプの回転数の電子的な調整の作用を簡単な機械的な手段によって取り換えることができる。本発明によって、冒頭で述べた形式の切換制御装置を提供することが達成されている。この切換制御装置では、公知先行技術による循環ポンプの回転数の電子的な調整の作用を簡単に取り換えることができ、これによって、上述した公知先行技術の欠点が回避される。
【０００９】
本発明の有利な特徴によれば、異なる横断面を備えた少なくとも１つの開口が、少なくとも１つの別の開口の横断面に比べて著しく小さな横断面を有している。この手段によって、公知先行技術による循環ポンプの回転数の著しい低減の取換の可能性が簡単に提供される。
【００１０】
本発明の有利な構成によれば、少なくとも１つの別の開口に比べて著しく小さな横断面を備えた開口が、液体を上側のスプレー装置に供給するために働くようになっている。公知先行技術により行われた、循環ポンプの回転数の著しい低減は、上側のスプレー装置への液体の長い方の供給管路内に位置する液体量（いわゆる「死水量」）に基づき減少させられた、循環のために存在する液体量によって、循環ポンプを乾燥運転なしに運転することができるように、循環ポンプの運転点を低下させるために働く。上側のスプレー装置への液体の供給管路に対応配置された、少なくとも１つの別の開口に比べて著しく小さな横断面を備えた開口によって、公知先行技術による循環ポンプの回転数の、前述した著しい低減の取換が簡単に提供されている。
【００１１】
本発明の別の有利な構成によれば、作動エレメントが、ディスクであり、該ディスクが、少なくとも１つの開口を有しており、該開口が、少なくとも１つの別の開口に比べて著しく小さな横断面を備えている。本発明による切換制御装置をディスクとして形成することは、本発明による切換制御装置の変換の最も簡単な可能性である。
【００１２】
少なくとも１つの大きい方の開口が、主として、液体を下側のスプレー装置に供給するために働くようになっているものの、択一的には、液体を上側のスプレー装置に供給するためにも働くようになっていると有利である。下側のスプレー装置への液体の供給管路に対応配置された、少なくとも１つの小さい方の開口に比べて著しく大きな横断面を備えた開口によって、公知先行技術による循環ポンプの回転数の、前述した著しい上昇の取換が簡単に提供されている。全ての出口が交互に連続的にかつ／または常に開放されている冒頭で述べた切換制御装置の調整時には、公知先行技術による循環ポンプの回転数の低減の取換が不要となる。なぜならば、十分に液体量が存在しており、循環ポンプの乾燥運転が生ぜしめられ得ないからである。択一的に上側のスプレー装置への供給管路のためにも少なくとも１つの大きな開口を使用することによって、公知先行技術による循環ポンプの回転数の、前述した制御の取換が提供されている。
【００１３】
本発明による切換制御装置の全ての出口が交互に連続的にかつ／または常に開放されている前述した使用事例では、ディスクにおいて反対の側に位置する２つの大きい方の開口が、液体を下側のスプレー装置と上側のスプレー装置とに同時に供給するために働くようになっていると有利である。異なる大きさの液体量をスプレー装置の異なる運転（単に上側のスプレー装置、単に下側のスプレー装置、両スプレー装置）のために使用することによって、洗浄プログラム制御における可変性が増加させられる。
【００１４】
本発明の有利な構成によれば、作動エレメントの、閉鎖位置で相応の出口に密に接触する閉鎖された領域が、全周にわたって延びる、出口に向かって上方に張り出したそれぞれ１つのシール縁部を有している。また、本発明の別の有利な構成によれば、小さい方の開口が、出口に向かって上方に張り出したシール縁部によって取り囲まれている。この手段によって、相応の出口に対する完全な密な当付けが簡単に保証される。
【００１５】
以下に、本発明の実施例を図面につき詳しく説明する。
【００１６】
図示の実施例において、本発明による切換制御装置を家庭用食器洗浄機１に対する使用事例で説明する。詳しく説明しない家庭用食器洗浄機１は洗浄庫２を有している。この洗浄庫２内では、洗浄したい物品（図示せず）、たとえば汚れた食器およびカトラリ（スプーン、フォーク、箸など）が、通常、食器バスケット３，４内に詰め込まれる。洗浄庫２内には、本発明によれば、少なくとも２つのスプレー装置、図示の実施例では２つのスプレー装置５，６が配置されている。両スプレー装置５，６は、洗浄庫２内に配置された洗浄したい物品を液体で負荷する。この液体（通常、洗浄液もしくはすすぎ液と呼ばれる）は循環ポンプ７によって液体供給管路８，９内でスプレー装置５，６に圧送される。通常、家庭用食器洗浄機１内で圧送される液体は、少なくとも洗浄プログラムの部分プログラム区分で加熱される。このためには、家庭用食器洗浄機１が、図示の実施例ではフロースルーヒータ１０を有している。家庭用食器洗浄機１内で圧送される液体は、循環ポンプ７によってフロースルーヒータ１０の流入管片１１に案内され、フロースルーヒータ１０を通って案内される。このフロースルーヒータ１０は少なくとも２つの出口管片、つまり、スプレー装置の数または同時に運転されるスプレー装置群の数に相当する数の出口管片、図示の実施例では２つの出口管片１２，１３を有している。フロースルーヒータ１０の出口管片１２，１３から液体が、すでに上述した液体供給管路８，９を介して、それぞれ異なるスプレー装置５，６に供給される。液体をフロースルーヒータ１０内で加熱するために必要となる加熱バーは符号１６で示してある。
【００１７】
圧送された液体は切換制御装置２０を通流する。この切換制御装置２０は、図示の実施例ではフロースルーヒータ１０内に配置されている。このためには、圧送される液体が循環ポンプ７によって、フロースルーヒータ１０の、切換制御装置２０の流入管片も成す流入管片１１に案内される。切換制御装置２０は、液体をそれぞれ異なるスプレー装置５，６に供給するための少なくとも２つの出口、図示の実施例ではフロースルーヒータ１０の２つの出口管片１２，１３を有している。両出口管片１２，１３は、図示の実施例においてフロースルーヒータ１０内に流れ方向で見て出口管片１２，１３の手前に配置された切換制御装置２０の作動エレメント２１，２１′によって開放することができるかもしくは主として閉鎖することができ、これによって、出口管片１２，１３のそれぞれ１つまたは幾つかの出口管片１２，１３または全ての出口管片１２，１３が交互に連続的にかつ／または常に開放されているかもしくは主として閉鎖されている。このためには、切換制御装置２０の、図示の実施例でディスクとして形成された作動エレメント２１，２１′が、流れ方向で見て、フロースルーヒータ１０の、各出口管片１２，１３に前置された出口１４，１５に配置されている。図３および図４に示した図示の有利な実施例における作動エレメント２１によって、フロースルーヒータ１０の出口１４，１５のそれぞれ１つを閉鎖することができ、図５に示した図示の別の実施例における作動エレメント２１′によって、２つの出口１４，１５を交互に連続的にかつ／または常に開放することができるかもしくは主として閉鎖することができる。
【００１８】
本発明によれば、作動エレメント２１，２１′は少なくとも１つの開口２２を有している。この開口２２は、少なくとも１つの別の開口２３の横断面に対して異なる横断面を備えている。異なる横断面を備えた少なくとも１つの開口２２は、少なくとも１つの別の開口２３の横断面に比べて著しく小さな横断面を有している。少なくとも１つの小さい方の開口２２によって、本発明によれば、より僅かな量の液体を所望のスプレー装置５，６に圧送する可能性が簡単に提供される。このことは、冒頭で説明した公知先行技術による循環ポンプ７の回転数の低減の作用に相当している。少なくとも大きい方の開口２３，２４によって、本発明によれば、より大きな量の液体を所望のスプレー装置５，６に圧送する可能性が簡単に提供される。このことは、循環ポンプ７の、前述した低減された回転数に対する循環ポンプの回転数の上昇の作用に相当している。これによって、循環ポンプ７の回転数の電子的な調整の作用を簡単な機械的な手段によって取り換えることができる。本発明によって、冒頭で述べた形式の切換制御装置２０を提供することが達成される。この切換制御装置２０では、公知先行技術による循環ポンプ７の回転数の電子的な調整の作用を簡単に取り換えることができ、これによって、公知先行技術の、冒頭に記載した欠点が回避される。
【００１９】
図示の実施例では、少なくとも１つの別の開口２３（以下、大きい方の開口２３と呼ぶ）に比べて著しく小さな横断面を備えた開口２２（以下、小さい方の開口２２と呼ぶ）が、液体を上側のスプレー装置５に供給するために働く。公知先行技術により行われた、循環ポンプの回転数の著しい低減は、上側のスプレー装置５への液体の長い方の供給管路内に位置する液体量（いわゆる「死水量」）に基づき減少させられた、循環のために存在する液体量によって、循環ポンプ７を乾燥運転なしに運転することができるように、循環ポンプ７の運転点を低下させるために働く。上側のスプレー装置５への液体の供給管路に対応配置された、少なくとも１つの別の開口２３に比べて著しく小さな横断面を備えた開口２２によって、公知先行技術による循環ポンプの回転数の、前述した著しい低減の取換が簡単に提供されている。
【００２０】
開口２２，２３は、図示の実施例では、図３に一点鎖線で示した、同じ半径を備えた円に互いに直角を成して配置されている。開口を同じ半径で互いに直角を成して配置することによって、切換制御装置の制御の極めて簡単な可能性が提供されている。これによって、図示の実施例では、少なくとも１つの大きい方の開口２３が、特別なプログラム経過の場合に択一的に液体を上側のスプレー装置５に供給するために働くこともできるにもかかわらず、液体を下側のスプレー装置６に供給するために働く。この下側のスプレー装置６への液体の供給管路に対応配置された、少なくとも１つの小さい方の開口２２に比べて著しく大きな横断面を備えた開口２３によって、公知先行技術による循環ポンプの回転数の、前述した著しい上昇の取換が簡単に提供されている。全ての出口１４，１５が交互に連続的にかつ／または常に開放されている、冒頭で述べた切換制御装置の調整時には、公知先行技術による循環ポンプ７の回転数の低減の取換は不要となる。なぜならば、十分に液体量が存在しており、循環ポンプの乾燥運転が生ぜしめられ得ないからである。少なくとも１つの大きな開口２３を択一的に上側のスプレー装置５への供給管路のためにも使用することによって、公知先行技術による循環ポンプ７の回転数の、前述した制御の取換が簡単に提供されている。
【００２１】
図５に示した別の実施例では、作動エレメント２１′（ディスク）において反対の側に位置する２つの大きい方の開口２３，２４が、液体を下側のスプレー装置６と上側のスプレー装置５とに同時に供給するために働く。
【００２２】
作動エレメント２１，２１′（ディスク）の、閉鎖位置で相応の出口１４，１５に密に接触する閉鎖された領域は符号２５で示してあり、全周にわたって延びる、出口１４，１５に向かって上方に張り出したそれぞれ１つのシール縁部２６を有している。小さい方の開口２２もこのような形式のシール縁部２６によって取り囲まれている（図３参照）。この手段によって、相応の出口１４，１５に対する完全な密な当付けが簡単に保証されている。
【００２３】
駆動ユニット３０は、図２に概略的にしか示していない伝動装置３２、たとえば歯車伝動装置を備えたモータ３１、たとえば電動モータである。制御エレメント２１は伝動装置３２に軸３３によって結合されている。この軸３３はフロースルーヒータ１０のハウジング内に案内されている。モータ３１と伝動装置３２とは、フロースルーヒータ１０の、引き下げられた縁部１７に嵌められたカバー１８によって防護されている。このカバー１８は伝動装置３２のための支承箇所も有している。この支承箇所のうち、引き上げられたただ１つの支承ピン１９しか軸３３のための支承体として示していない。
【００２４】
以下に、図示の両実施例における本発明による切換制御装置２０の機能を説明する。
【００２５】
まず、ここで、作動エレメント２１を備えた本発明による切換制御装置２０の有利な構成の機能の説明を続ける。
【００２６】
図３および図４に示した本発明による切換制御装置２０の有利な構成の作動エレメント２１によって、出口１４，１５のそれぞれ１つが交互に連続的にかつ／または常に開放されて保持されるかもしくは主として閉鎖されて保持される。
【００２７】
スプレー装置５，６への交互の供給が、上側のスプレー装置５への減少させられた液体量の供給によって所望される場合には、供給電圧への駆動装置３０のモータ３１の接続が、家庭用食器洗浄機１のプログラム制御機器（説明せず）によって導入され、作動エレメント２１が、図４に矢印で示したように、時計回り方向で回転し始める。これによって、作動エレメント２１の、閉鎖された領域２５の１つが出口１５に密に載置しかつ小さい方の開口２２が出口１４の上方に位置するまで、作動エレメント２１の、閉鎖された領域２５の１つが回転させられる。このことは、図４ｂに示した作動エレメント２１の位置に相当している。これによって、この事例では下側のスプレー装置６への、フロースルーヒータ１０を通流した液体の供給が遮断され、上側のスプレー装置５への供給が、小さい方の開口２２に基づき、より僅かな液体通流量で開放される。この位置に切換制御装置２０は、プログラム経過に設定された作用時間の間、図示の実施例では約１分間とどまる。この場合、詳しく説明しないセンサ機構、たとえばドイツ連邦共和国特許出願第１００６５５７１．８号明細書（ドイツ連邦共和国特許出願公開第１００６５５７１号明細書）に開示された作動駆動装置によって、作動エレメント２１の回転位置が規定され、プログラム制御機器を介して、設定された期間の間、モータ３１がスイッチオフされ、これによって、作動エレメント２１のその都度の回転位置がこの期間にわたって保持される。その後、スプレー装置５，６への交互の供給時にモータ３１が引き続き回転する。これによって、本実施例では９０゜だけ作動エレメント２１が回転した後、閉鎖された領域２５の１つが出口１４に密に載置し、大きい方の開口２３が出口１５の上方に位置する。このことは、図４ｃに示した作動エレメント２１の位置に相当している。これによって、上側のスプレー装置５への供給が遮断され、下側のスプレー装置６への供給がより大きな液体通流量で開放される。この位置に切換制御装置２０はいま再び、プログラム経過に設定された作用時間の間、図示の実施例では約１分間とどまる。しかし、いま、図示の実施例で２７０゜にわたる図４ｂに示した位置までのモータ３１の後続の連続的なさらなる回転時には、作動エレメント２１の迅速な回転に基づき、極めて短くしか、小さい方の開口２２による出口１５の開放（図４ｄ参照）が生ぜしめられず、その後、大きい方の開口２３による出口１４の開放（図４ａ参照）が生ぜしめられない。その後、再び、閉鎖された領域２５の１つが出口１５に当て付けられ、小さい方の孔２２が出口１４上に位置し、過程が、前述したように継続する。冒頭で説明したように、スプレー装置５，６への交互の供給は、特に水を節約するために使用される。この場合、本発明による切換制御装置２０の作動エレメント２１の本発明により小さい方の開口２２は、循環ポンプ７の不快なかつ望ましくない騒音発生を伴う公知先行技術による空気の吸込みを、上側のスプレー装置５へのより僅かな液体通流量によって回避し、これによって、循環ポンプ７の吸込み室への空吸込みが生ぜしめられず、したがって、公知先行技術の場合のような循環ポンプ７の回転数の低下が不要となる。
【００２８】
しかし、いま、スプレー装置５，６への交互の供給が、上側のスプレー装置５への絞られない液体供給によって所望される場合には、作動エレメント２１の、閉鎖された領域２５の１つが出口１５に密に載置しかつ大きい方の開口２３が出口１４の上方に位置するまで、作動エレメント２１が回転させられる。このことは、図４ａに示した作動エレメント２１の位置に相当している。これによって、この事例では下側のスプレー装置６への、フロースルーヒータ１０を通流した液体の供給が遮断され、上側のスプレー装置５への供給が、大きい方の開口２３に基づき、減少させられない液体通流量で開放される。この位置に切換制御装置循環２０は、プログラム経過に設定された作用時間の間、図示の実施例では約１分間とどまる。その後、スプレー装置５，６への交互の供給時にモータ３１が引き続き回転する。しかし、いま、この場合、作動エレメント２１の迅速な回転に基づき、極めて短くしか、小さい方の開口２２による出口１４のさらなる開放が生ぜしめられない（図４ｂ参照）。本実施例では１８０゜だけ作動エレメント２１が回転した後、閉鎖された領域２５の１つが出口１４に密に載置し、大きい方の開口２３が出口１５の上方に位置する。このことは、図４ｃに示した作動エレメント２１の位置に相当している。これによって、上側のスプレー装置５への供給が遮断され、下側のスプレー装置６への供給がより大きな液体通流量で開放される。この位置に切換制御装置２０はいま再び、プログラム経過に設定された作用時間の間、図示の実施例では約１分間とどまる。図示の実施例で再び１８０゜にわたる図４ａに示した位置までのモータ３１の後続の連続的なさらなる回転時には、作動エレメント２１の迅速な回転に基づき、極めて短くしか、小さい方の開口２２による出口１５の開放（図４ｄ参照）が生ぜしめられず、その後、大きい方の開口２３による出口１４の開放（図４ａ参照）が生ぜしめられる。この場合、再び、閉鎖された領域２５の１つが出口１５に当て付けられ、大きい方の孔２３が出口１４上に位置し、過程が、前述したように継続する。
【００２９】
しかし、減少させられない液体量での上側のスプレー装置５への液体供給管路８だけの永続的な開放（いわゆる「完全な上側バスケット洗浄」）が所望される場合には、前述したセンサ機構が使用され、これによって、作動エレメント２１の大きい方の開口２３が、上側のスプレー装置５に通じる液体供給管路８への出口管片１２のための出口１４に到達する（図４ａ参照）までしかモータ３１が運転されず、その後、完全な洗浄プログラムにわたって、この位置が維持される。なぜならば、モータ３１がもはや引き続き運転されないからである。
【００３０】
しかし、いま、減少させられた液体量での上側のスプレー装置５への液体供給管路８だけの永続的な開放（いわゆる「絞られた上側バスケット洗浄」）が所望される場合には、前述したセンサ機構が使用され、これによって、作動エレメント２１の大きい方の開口２３が、上側のスプレー装置５に通じる液体供給管路８への出口管片１２のための出口１４を部分的にのみ開放する（図４ｄ参照）までしかモータ３１が運転されず、その後、完全な洗浄プログラムにわたって、この位置が維持される。なぜならば、モータ３１がもはや引き続き運転されないからである。
【００３１】
しかし、交互の運転時に減少させられた液体量での上側のスプレー装置５への液体供給管路８だけの永続的な開放（いわゆる「強く絞られた上側バスケット洗浄」）が所望される場合には、前述したセンサ機構が使用され、これによって、作動エレメント２１の小さい方の開口２２が、上側のスプレー装置５に通じる液体供給管路８への出口管片１２のための出口１４を開放する（図４ｂ参照）までしかモータ３１が運転されず、その後、完全な洗浄プログラムにわたって、この位置が維持される。なぜならば、モータ３１がもはや引き続き運転されないからである。
【００３２】
当然ながら、択一的に下側のスプレー装置６に通じる液体供給管路９だけの永続的な開放を実施することも可能である。このためには、前述したセンサ機構によって、作動エレメント２１の大きい方の開口２３が、下側のスプレー装置６に通じる液体供給管路９への出口管片１３のための出口１５に到達するまでしかモータ３１が運転されず、その後、モータ３１がもはや引き続き運転されないので、この位置が完全な洗浄プログラムにわたって維持されるようになっている。
【００３３】
液体の同時供給による両スプレー装置５，６の間の交番なしの両スプレー装置５，６の同時運転（いわゆる「ダブルバスケット洗浄」）は、本発明による切換制御装置２０のこの有利な構成では設けられていない。
【００３４】
ここで、作動エレメント２１′を備えた本発明による切換制御装置２０の別の構成の機能の説明を続ける。
【００３５】
図５に示した本発明による切換制御装置２０の別の構成の作動エレメント２１′によって、出口１４，１５のそれぞれ１つまたは両出口１４，１５が交互に連続的にかつ／または常に開放されて保持されるかもしくは主として閉鎖されて保持される。
【００３６】
スプレー装置５，６への交互の供給が所望される場合には、供給電圧への駆動装置３０のモータ３１の接続が、家庭用食器洗浄機１のプログラム制御機器（説明せず）によって導入され、作動エレメント２１′が、図５に矢印で示したように、時計回り方向で回転し始める。これによって、作動エレメント２１′の、閉鎖された領域２５の１つが出口１５に密に載置しかつ小さい方の開口２２が出口１４の上方に位置するまで、作動エレメント２１′の、閉鎖された領域２５の１つが回転させられる。このことは、図５ａに示した作動エレメント２１′の位置に相当している。これによって、この事例では下側のスプレー装置６への、フロースルーヒータ２０を通流した液体の供給が遮断され、上側のスプレー装置５への供給が開放される。この位置に切換制御装置２０は、図示の実施例では約１分間とどまる。この場合、センサ機構（説明せず）によって、作動エレメント２１の回転位置が規定され、プログラム制御機器を介して、設定された期間の間、モータ３１がスイッチオフされ、これによって、作動エレメント２１′のその都度の回転位置がこの期間にわたって保持される。いま、しかし、閉鎖された領域２５の１つが出口１４に密に載置しかつ小さい方の開口２２が出口１５の上方に位置する、図示の実施例で１８０゜にわたる図５ｃに示した位置までのモータ３１の後続の連続的なさらなる回転時には、作動エレメント２１′の迅速な回転に基づき、極めて短くしか、大きい方の開口２３，２４による両出口１４，１５の開放が生ぜしめられない（図５ｂ参照）。図５ｃに示した作動エレメント２１′の位置では、上側のスプレー装置５への供給が遮断され、下側のスプレー装置６への供給が開放される。この位置に切換制御装置２０は、図示の実施例でいま再び約１分間とどまる。しかし、いま再び、閉鎖された領域２５の１つが出口１５に密に載置しかつ小さい方の開口２２が出口１４の上方に位置する、図示の実施例で１８０゜にわたる図５ａに示した位置までのモータ３１の後続の連続的なさらなる回転時には、作動エレメント２１′の迅速な回転に基づき、極めて短くしか、大きい方の開口２３，２４による両出口１４，１５の開放が生ぜしめられない（図５ｄ参照）。図５ａに示した作動エレメント２１′の位置では、下側のスプレー装置６への供給が遮断され、上側のスプレー装置５への供給が開放される。この位置に切換制御装置２０が、図示の実施例でいま再び約１分間とどまり、その後、過程が、前述したように継続する。
【００３７】
しかし、上側のスプレー装置５に通じる液体供給管路８だけの永続的な開放（いわゆる「絞られた上側バスケット洗浄」）が所望される場合には、前述したセンサ機構が使用され、これによって、作動エレメント２１′の小さい方の開口２２が、上側のスプレー装置５に通じる液体供給管路８への出口管片１２のための出口１４に到達する（図５ａ参照）までしかモータ３１が運転されず、その後、完全な洗浄プログラムにわたって、この位置が維持される。なぜならば、モータ３１がもはや引き続き運転されないからである。
【００３８】
いま、しかし、再び減少させられた液体量での、上側のスプレー装置５に通じる液体供給管路８だけの永続的な開放（いわゆる「強く絞られた上側バスケット洗浄」が所望される場合には、前述したセンサ機構が使用され、これによって、作動エレメント２１′の小さい方の開口２２が、上側のスプレー装置５に通じる液体供給管路８への出口管片１２のための出口１４を部分的にのみ開放する（図５ｄ参照）までしかモータ３１が運転されず、その後、完全な洗浄プログラムにわたって、この位置が維持される。なぜならば、モータ３１がもはや引き続き運転されないからである。
【００３９】
いわゆる「完全な上側バスケット洗浄」は、この別の構成には設けられていない。
【００４０】
いま、択一的に下側のスプレー装置６に通じる液体供給管路９だけの永続的な開放を所望したい場合には、前述したセンサ機構が使用され、これによって、作動エレメント２１′の小さい方の開口２２が、下側のスプレー装置６に通じる液体供給管路９への出口管片１３のための出口１５に到達する（図５ｃ参照）までしかモータ３１が運転されず、その後、完全な洗浄プログラムにわたって、この位置が維持されるるようになっている。なぜならば、モータ３１がもはや引き続き運転されないからである。
【００４１】
本発明による切換制御装置２０の別の構成において、両スプレー装置５，６の、遮断されない運転が所望される場合には、前述したセンサ機構によって再び、両出口１４，１５に対する、作動エレメント２１′に設けられた開口２３，２４の位置が規定され（図５ｂ参照）、この位置が完全な洗浄プログラムにわたって維持され得る。なぜならば、モータ３１がもはや引き続き運転されないからである。洗浄液による充填量は相応に増加させられる。
【図面の簡単な説明】
【００４２】
【図１】家庭用食器洗浄機の概略図である。
【００４３】
【図２】本発明による切換制御装置を備えたフロースルーヒータの側面図の断面図である。
【００４４】
【図３】図２に示した切断線ＩＩＩ−ＩＩＩに相当する、本発明による切換制御装置の有利な構成を備えたフロースルーヒータの平面図の断面図である。
【００４５】
【図４ａ】本発明による切換制御装置の有利な構成の作動エレメントの第１の位置を示す図である。
【００４６】
【図４ｂ】本発明による切換制御装置の有利な構成の作動エレメントの第２の位置を示す図である。
【００４７】
【図４ｃ】本発明による切換制御装置の有利な構成の作動エレメントの第３の位置を示す図である。
【００４８】
【図４ｄ】本発明による切換制御装置の有利な構成の作動エレメントの第４の位置を示す図である。
【００４９】
【図５ａ】本発明による切換制御装置の別の構成の作動エレメントの第１の位置を示す図である。
【００５０】
【図５ｂ】本発明による切換制御装置の別の構成の作動エレメントの第２の位置を示す図である。
【００５１】
【図５ｃ】本発明による切換制御装置の別の構成の作動エレメントの第３の位置を示す図である。
【００５２】
【図５ｄ】本発明による切換制御装置の別の構成の作動エレメントの第４の位置を示す図である。
【符号の説明】
【００５３】
１  家庭用食器洗浄機、  ２  洗浄庫、  ３，４  食器バスケット、  ５，６  スプレー装置、  ７  循環ポンプ、  ８，９  液体供給管路、  １０  フロースルーヒータ、  １１  流入管片、  １２，１３  出口管片、  １４，１５  出口、  １６  加熱バー、  １７  縁部、  １８  カバー、  １９  支承ピン、  ２０  切換制御装置、  ２１，２１′  作動エレメント、  ２２，２３，２４  開口、  ２５  領域、  ２６  シール縁部、  ３０  駆動ユニット、  ３１  モータ、  ３２  伝動装置、  ３３  軸
【図１】
2005512659.tif 000003
【図２】
2005512659.tif 000004
【図３】
2005512659.tif 000005
【図４ａ】
2005512659.tif 000006
【図４ｂ】
2005512659.tif 000007
【図４ｃ】
2005512659.tif 000008
【図４ｄ】
2005512659.tif 000009
【図５ａ】
2005512659.tif 000010
【図５ｂ】
2005512659.tif 000011
【図５ｃ】
2005512659.tif 000012
【図５ｄ】
2005512659.tif 000013
【国際調査報告】
2005512659.tif 000014
2005512659.tif 000015
2005512659.tif 000016
2005512659.tif 000017
2005512659.tif 000018
2005512659.tif 000019